(57)【要約】      （修正有）【課題】収容容器に取り付けられたスタンドを取り外すことなく収容容器の取出口を開放状態として、当該収容容器内の食品を使用する容器逆立ち用スタンドを提供する。【解決手段】半固体状の食品の収容容器２００のキャップ部２２０に着脱自在に取り付けられ、キャップ部を下側にして当該収容容器を逆立ち状態で保持できる様に容器逆立ち用スタンド１００を形成する。さらに、キャップ部の取出口が形成されたキャップ本体部２２１の外面部２２１ｂを把持する把持部１１２ａ、１２２ａと、キャップ本体部の外面部を把持した状態の把持部よりも、キャップ本体部に取出口を開閉自在に設けられた取出口開閉部２２２側に設けられ、収容容器を逆立ち状態で保持する際に載置面Ｔに接触する載置部１１１ａ、１２１ａと、載置部よりも内側に設けられ、取出口開閉部が配置されるとともに、当該取出口開閉部が取出口を開閉する際に動作するための動作空間部１０６とを備える。【選択図】図１
0003173984.tif 000002
【実用新案登録請求の範囲】
【請求項１】
半固体状の食品の収容容器のキャップ部に着脱自在に取り付けられ、前記キャップ部を下側にして当該収容容器を逆立ち状態で保持する容器逆立ち用スタンドであって、
前記キャップ部は、前記収容容器の容器本体部の一端に取り付けられ、当該容器本体部内の食品を取り出すための取出口が形成されたキャップ本体部と、前記キャップ本体部に前記取出口を開閉自在に設けられた取出口開閉部とを有し、
前記キャップ本体部の外面部を把持する把持部と、
前記キャップ本体部の外面部を把持した状態の前記把持部よりも前記取出口開閉部側に設けられ、当該スタンドを用いて前記収容容器を逆立ち状態で保持する際に載置面に接触する載置部と、
前記載置部よりも内側に設けられ、前記取出口開閉部が配置されるとともに、当該取出口開閉部が前記取出口を開閉する際に動作するための動作空間部とを備えることを特徴とする容器逆立ち用スタンド。
【請求項２】
前記把持部を構成し、前記キャップ本体部の外面部を挟持するための第１及び第２挾持用部材と、
前記第１及び第２挾持用部材を相対的に近付けるように付勢する付勢部材と、を備え、
前記付勢部材の付勢力により付勢された前記第１及び第２挾持用部材の前記把持部で前記キャップ本体部の外面部を挟持することを特徴とする請求項１に記載の容器逆立ち用スタンド。
【請求項３】
前記第１及び第２挾持用部材は、透明であり、更に、前記載置部を構成し、
前記載置部の各々は、当該第１及び第２挾持用部材の前記把持部によって前記キャップ本体部の外面部が挟持された状態で、前記取出口開閉部の前記キャップ本体部と反対側の端面と略等しい位置か、或いは、当該端面よりも前記キャップ本体部と反対側に存する一平面上に形成されていることを特徴とする請求項２に記載の容器逆立ち用スタンド。
【請求項４】
前記載置部の内側端部は、前記把持部よりも外側に配置され、当該載置部の内側端部と前記把持部との間に、前記動作空間部が設けられていることを特徴とする請求項１〜３の何れか一項に記載の容器逆立ち用スタンド。
【請求項５】
前記取出口開閉部は、前記キャップ本体部の一端部に回動自在に軸支され、
前記動作空間部は、前記取出口を開閉する際に回動する前記取出口開閉部の動作空間を構成してなることを特徴とする請求項１〜４の何れか一項に記載の容器逆立ち用スタンド。
【請求項６】
前記取出口開閉部は、前記キャップ本体部の前記容器本体部と反対側に着脱自在に取り付けられ、
前記動作空間部は、前記取出口を開閉する際に着脱される前記取出口開閉部の動作空間を構成してなることを特徴とする請求項１〜４の何れか一項に記載の容器逆立ち用スタンド。
【請求項７】
半固体状の食品の収容容器の容器本体部のキャップ部側に着脱自在に取り付けられ、前記キャップ部を下側にして当該収容容器を逆立ち状態で保持する容器逆立ち用スタンドであって、
前記容器本体部は、当該容器本体部内の食品を取り出すための取出口が一端に形成され、当該容器本体部に前記キャップ部が前記取出口を開閉自在に設けられ、
前記容器本体部の外面部を把持する把持部と、
前記容器本体部の外面部を把持した状態の前記把持部よりも前記キャップ部側に設けられ、当該スタンドを用いて前記収容容器を逆立ち状態で保持する際に載置面に接触する載置部と、
前記載置部よりも内側に設けられ、前記キャップ部が配置されるとともに、当該キャップ部が前記取出口を開閉する際に動作するための動作空間部とを備えることを特徴とする容器逆立ち用スタンド。
【考案の詳細な説明】
【技術分野】
【０００１】
本考案は、容器逆立ち用スタンドに関する。
【背景技術】
【０００２】
従来、マヨネーズやケチャップなどの半固体状の食品の収容容器内で、当該食品の収容量が残り少なくなると、収容容器の取出口を下にしても直ぐに食品が出てこなくなる。そこで、予め収容容器の口元に残り少ない食品を集めておくことが望ましく、収容容器の取出口を閉塞するキャップ部を下側とする逆立ち状態で保持するスタンドが知られている（例えば、特許文献１参照）。
【先行技術文献】
【特許文献】
【０００３】
【特許文献１】登録実用新案第３００３５３７号公報
【考案の概要】
【考案が解決しようとする課題】
【０００４】
しかしながら、上記のようなスタンドが収容容器のキャップ部に取り付けられたままでは、収容容器の取出口を開放状態として当該収容容器内の食品を使用することができず、ユーザの使い勝手が悪化してしまう。
即ち、収容容器内の食品の非使用状態にて、当該収容容器のキャップ部にスタンドを取り付けて逆立ち状態で保持していると、当該収容容器内の食品を使用するためには、一旦キャップ部からスタンドを取り外す必要が生じる。また、食品の使用後に収容容器を逆立ち状態で保持するためには、再度キャップ部にスタンドを取り付け直す必要も生じる。
【０００５】
そこで、本考案は、このような問題に鑑みてなされたものであり、本考案の課題は、収容容器に取り付けられたスタンドを取り外すことなく収容容器の取出口を開放状態として当該収容容器内の食品を使用することができる容器逆立ち用スタンドを提供することである。
【課題を解決するための手段】
【０００６】
上記課題を解決するため、請求項１に記載の考案は、
半固体状の食品の収容容器のキャップ部に着脱自在に取り付けられ、前記キャップ部を下側にして当該収容容器を逆立ち状態で保持する容器逆立ち用スタンドであって、
前記キャップ部は、前記収容容器の容器本体部の一端に取り付けられ、当該容器本体部内の食品を取り出すための取出口が形成されたキャップ本体部と、前記キャップ本体部に前記取出口を開閉自在に設けられた取出口開閉部とを有し、
前記キャップ本体部の外面部を把持する把持部と、
前記キャップ本体部の外面部を把持した状態の前記把持部よりも前記取出口開閉部側に設けられ、当該スタンドを用いて前記収容容器を逆立ち状態で保持する際に載置面に接触する載置部と、
前記載置部よりも内側に設けられ、前記取出口開閉部が配置されるとともに、当該取出口開閉部が前記取出口を開閉する際に動作するための動作空間部とを備えることを特徴としている。
【０００７】
請求項２に記載の考案は、請求項１に記載の容器逆立ち用スタンドにおいて、
前記把持部を構成し、前記キャップ本体部の外面部を挟持するための第１及び第２挾持用部材と、
前記第１及び第２挾持用部材を相対的に近付けるように付勢する付勢部材と、を備え、
前記付勢部材の付勢力により付勢された前記第１及び第２挾持用部材の前記把持部で前記キャップ本体部の外面部を挟持することを特徴としている。
【０００８】
請求項３に記載の考案は、請求項２に記載の容器逆立ち用スタンドにおいて、
前記第１及び第２挾持用部材は、透明であり、更に、前記載置部を構成し、
前記載置部の各々は、当該第１及び第２挾持用部材の前記把持部によって前記キャップ本体部の外面部が挟持された状態で、前記取出口開閉部の前記キャップ本体部と反対側の端面と略等しい位置か、或いは、当該端面よりも前記キャップ本体部と反対側に存する一平面上に形成されていることを特徴としている。
【０００９】
請求項４に記載の考案は、請求項１〜３の何れか一項に記載の容器逆立ち用スタンドにおいて、
前記載置部の内側端部は、前記把持部よりも外側に配置され、当該載置部の内側端部と前記把持部との間に、前記動作空間部が設けられていることを特徴としている。
【００１０】
請求項５に記載の考案は、請求項１〜４の何れか一項に記載の容器逆立ち用スタンドにおいて、
前記取出口開閉部は、前記キャップ本体部の一端部に回動自在に軸支され、
前記動作空間部は、前記取出口を開閉する際に回動する前記取出口開閉部の動作空間を構成してなることを特徴としている。
【００１１】
請求項６に記載の考案は、請求項１〜４の何れか一項に記載の容器逆立ち用スタンドにおいて、
前記取出口開閉部は、前記キャップ本体部の前記容器本体部と反対側に着脱自在に取り付けられ、
前記動作空間部は、前記取出口を開閉する際に着脱される前記取出口開閉部の動作空間を構成してなることを特徴としている。
【００１２】
請求項７に記載の考案は、
半固体状の食品の収容容器の容器本体部のキャップ部側に着脱自在に取り付けられ、前記キャップ部を下側にして当該収容容器を逆立ち状態で保持する容器逆立ち用スタンドであって、
前記容器本体部は、当該容器本体部内の食品を取り出すための取出口が一端に形成され、当該容器本体部に前記キャップ部が前記取出口を開閉自在に設けられ、
前記容器本体部の外面部を把持する把持部と、
前記容器本体部の外面部を把持した状態の前記把持部よりも前記キャップ部側に設けられ、当該スタンドを用いて前記収容容器を逆立ち状態で保持する際に載置面に接触する載置部と、
前記載置部よりも内側に設けられ、前記キャップ部が配置されるとともに、当該キャップ部が前記取出口を開閉する際に動作するための動作空間部とを備えることを特徴としている。
【考案の効果】
【００１３】
請求項１に記載の考案によれば、容器逆立ち用スタンドを用いて収容容器を逆立ち状態で保持する際に載置面に接触する載置部よりも内側に、収容容器の容器本体部内の食品を取り出すための取出口を開閉自在に設けられた取出口開閉部が配置されるとともに、この取出口開閉部が取出口を開閉する際に動作するための動作空間部が設けられているので、当該容器逆立ち用スタンドをキャップ部に取り付けた状態でも動作空間部内で取出口開閉部を動作させて取出口を開閉することができる。従って、収容容器に取り付けられた容器逆立ち用スタンドを取り外すことなく収容容器の取出口を開放状態として当該収容容器内の食品を使用することができる。
【００１４】
請求項２に記載の考案によれば、付勢部材の付勢力により相対的に近付けるように付勢された第１及び第２挾持用部材の各把持部でキャップ本体部の外面部を挟持するので、当該容器逆立ち用スタンドの第１及び第２挟持用部材を用いてキャップ部に対する着脱動作を容易に行うことができ、請求項１に記載の考案と同様の効果を得ることができる。
【００１５】
請求項３に記載の考案によれば、請求項２に記載の考案と同様の効果が得られるのは無論のこと、特に、第１及び第２挾持用部材の各載置部は、当該第１及び第２挾持用部材の把持部によってキャップ本体部の外面部が挟持された状態で、取出口開閉部のキャップ本体部と反対側の端面と略等しい位置か、或いは、当該端面よりもキャップ本体部と反対側に存する一平面上に形成されているので、第１及び第２挟持用部材の各載置部を用いて当該容器逆立ち用スタンドを載置面に適正に載置することができる。
【００１６】
請求項４に記載の考案によれば、載置部の内側端部は、把持部よりも外側に配置されているので、当該載置部の内側端部と前記把持部との間に、取出口開閉部が取出口を開閉する際に動作するための動作空間部を確保することができ、請求項１〜３の何れか一項に記載の考案と同様の効果を得ることができる。
【００１７】
請求項５に記載の考案によれば、取出口開閉部は、キャップ本体部の一端部に回動自在に軸支された構成であっても、取出口を開閉する際に回動する取出口開閉部の動作空間を動作空間部により確保することができ、請求項１〜４の何れか一項に記載の考案と同様の効果を得ることができる。
【００１８】
請求項６に記載の考案によれば、取出口開閉部は、キャップ本体部の容器本体部と反対側に着脱自在に取り付けられた構成であっても、取出口を開閉する際に着脱される取出口開閉部の動作空間を動作空間部により確保することができ、請求項１〜４の何れか一項に記載の考案と同様の効果を得ることができる。
【００１９】
請求項７に記載の考案によれば、容器逆立ち用スタンドを用いて収容容器を逆立ち状態で保持する際に載置面に接触する載置部よりも内側に、収容容器の容器本体部内の食品を取り出すための取出口を開閉自在に設けられたキャップ部が配置されるとともに、このキャップ部が取出口を開閉する際に動作するための動作空間部が設けられているので、当該容器逆立ち用スタンドを容器本体部に取り付けた状態でも動作空間部内でキャップ部を動作させて取出口を開閉することができる。従って、収容容器に取り付けられた容器逆立ち用スタンドを取り外すことなく収容容器の取出口を開放状態として当該収容容器内の食品を使用することができる。
【図面の簡単な説明】
【００２０】
【図１】本考案を適用した実施形態１の容器逆立ち用スタンドを示す正面図である。
【図２】図１の容器逆立ち用スタンドを説明するための図である。
【図３】図１の容器逆立ち用スタンドの収容容器に対する取り付け方法を説明するための図である。
【図４】図１の容器逆立ち用スタンドを収容容器に取り付けた状態での使用方法を説明するための図である。
【図５】本考案を適用した実施形態２の容器逆立ち用スタンドを説明するための図である。
【考案を実施するための形態】
【００２１】
以下に、本考案について、図面を用いて具体的な態様を説明する。ただし、考案の範囲は、図示例に限定されない。
【００２２】
［実施形態１］
図１は、本考案を適用した実施形態１の容器逆立ち用スタンド１００を収容容器２００に取り付けた状態を示す正面図である。
図１に示すように、容器逆立ち用スタンド１００は、例えば、マヨネーズやケチャップなどの半固体状の食品Ｆの収容容器２００のキャップ部２２０を下側にして当該収容容器２００を逆立ち状態で保持するものである。
なお、容器逆立ち用スタンド１００は、例えば、冷蔵庫内や食卓等の載置面Ｔに載置して使用されるのが一般的であるため、載置面Ｔ側を下側とするとともに反対側を上側として説明する。また、上下方向に直交する一方向を左右方向とし、上下方向及び左右方向の双方に直交する方向を前後方向とする。また、図１にあっては、収容容器２００に取り付けられる容器逆立ち用スタンド１００を模式的に表している。
【００２３】
ここで、収容容器２００について詳細に説明する。
収容容器２００は、例えば、図１に示すように、半固体状の食品Ｆが収容される容器本体部２１０と、この容器本体部２１０に着脱自在に取り付けられるキャップ部２２０とを備えている。
なお、収容容器２００の上下方向、左右方向及び前後方向の各方向は、上記した容器逆立ち用スタンド１００の各方向と略等しいものとして説明する。
【００２４】
容器本体部２１０は、例えば、上下方向に直交する断面の面積が上下方向の略中央部よりも上端側で最も大きく、両端部側になるにつれて次第に小さくなるような形状に形成されている。具体的には、容器本体部２１０のキャップ部２２０が取り付けられる一端部（例えば、下端部）が他端部（例えば、上端部）よりも上下方向に直交する断面の面積が小さくなっている。
【００２５】
また、容器本体部２１０の一端部（例えば、下端部）には、キャップ部２２０が螺合されている。
具体的には、容器本体部２１０の一端部の外面には、例えば、キャップ部２２０のキャップ本体部２２１（後述）の内面に形成された雌ねじ部（図示略）と螺合する雄ねじ部（図示略）が形成されている。そして、キャップ部２２０を容器本体部２１０に対して相対的に所定方向（例えば、時計回り等）に回動させてキャップ本体部２２１の雌ねじ部に容器本体部２１０の一端部の雄ねじ部が螺子込まれることで容器本体部２１０の一端部に取り付け可能となっている。その一方で、キャップ部２２０を容器本体部２１０に対して相対的に所定方向と反対方向（例えば、反時計回り等）に回動させることで容器本体部２１０の一端部から取り外し可能となっている。
【００２６】
キャップ部２２０は、例えば、容器本体部２１０の一端部に取り付けられるキャップ本体部２２１と、このキャップ本体部２２１に形成された容器本体部２１０内の食品Ｆを取り出すための取出口２２１ａ（図４参照）を開閉自在な取出口開閉部２２２とを有している。
キャップ本体部２２１の外面部２２１ｂ及び取出口開閉部２２２の外面部には、周方向に沿って凹凸が形成され、当該収容容器２００の容器本体部２１０に対するキャップ部２２０の着脱動作やキャップ本体部２２１に対する取出口開閉部２２２の開閉動作の際に、ユーザの指先や手が滑り難くなっている。
【００２７】
取出口開閉部２２２は、例えば、キャップ本体部２２１にヒンジ機構２２３を介して取り付けられている。即ち、ヒンジ機構２２３は、取出口開閉部２２２及びキャップ本体部２２１の一端部（例えば、下端部等）の上下方向に直交する所定方向（例えば、左右方向等）側の端部を連結するように構成されている。そして、ヒンジ機構２２３は、所定の一方向（例えば、前後方向等）に延在する回動軸部２２３ａを軸心として、取出口開閉部２２２をキャップ本体部２２１の一端部に対して相対的に所定の一方向に直交する方向（例えば、上下方向等）に回動自在となっている。
具体的には、取出口開閉部２２２を所定方向（例えば、下方向等）に回動させてキャップ本体部２２１から離間させることでキャップ本体部２２１の取出口２２１ａを開放状態とすることができる一方で、所定方向と反対方向（例えば、上方向等）に回動させてキャップ本体部２２１に接触させることでキャップ本体部２２１の取出口２２１ａを閉塞状態とすることができる。
ここで、取出口２２１ａの閉塞状態では、取出口開閉部２２２の内面の所定位置に設けられた係止部とキャップ本体部２２１の被係止部とが係止した状態となることで、当該取出口２２１ａの閉塞状態を維持することができる。
【００２８】
なお、取出口開閉部２２２の上下方向に直交する所定方向におけるヒンジ機構２２３と反対側の端部には、当該取出口開閉部２２２を開閉動作する際にユーザの指先や爪が引っ掛けられる突起２２２ａが形成されている。ここで、キャップ本体部２２１の上下方向に直交する所定方向におけるヒンジ機構２２３と反対側の端部における、取出口開閉部２２２の突起２２２ａに対向する部分を中心側に凹ませて、突起２２２ａにユーザの指先や爪を引っ掛け易くしても良い。
【００２９】
以下に、図２（ａ）〜図２（ｃ）を参照して、容器逆立ち用スタンド１００について詳細に説明する。
図２（ａ）は、図１の状態から上下左右を反転させた状態の容器逆立ち用スタンド１００を示す斜視図である。また、図２（ｂ）は、下側から容器逆立ち用スタンド１００を示す底面図であり、図２（ｃ）は、図２（ｂ）のＣ−Ｃ線における容器逆立ち用スタンド１００の断面図である。なお、図２（ｃ）にあっては、付勢部材１０４を模式的に破線で表している。
【００３０】
容器逆立ち用スタンド１００は、キャップ部２２０のキャップ本体部２２１に着脱自在に取り付けられるものであり（図１参照）、具体的には、図２（ａ）〜図２（ｃ）に示すように、キャップ本体部２２１の外面部２２１ｂを挾持するための第１及び第２挾持用部材１０１、１０２と、第１及び第２挾持用部材１０１、１０２を所定方向に回動自在に支持する軸部１０３とを備えている。
【００３１】
軸部１０３は、容器逆立ち用スタンド１００の上下方向に直交する方向（例えば、左右方向等）の一端部側（例えば、右端部側）に形成されている。また、軸部１０３は、上下方向に延在する回動軸１０３ａを有し、当該回動軸１０３ａを中心として、第１及び第２挾持用部材１０１、１０２が上下方向に直交する所定方向に回動自在となっている。具体的には、第１及び第２挾持用部材１０１、１０２の各々の一端部側（例えば、右端部側）には、回動軸１０３ａが挿通される挿通孔が形成され、当該挿通孔に挿通された回動軸１０３ａを中心として、第１及び第２挾持用部材１０１、１０２が相対的に近付く方向や離間する方向に回動自在となっている。
なお、回動軸１０３ａの上下方向の両端部は、第１及び第２挾持用部材１０１、１０２の上下方向の両端面の各々と略面一となるように平面状に形成されている。これにより、収容容器２００を逆立ち状態で保持する際に、当該スタンドの載置面Ｔに接触する面の安定性を向上させることができる。
【００３２】
また、軸部１０３には、第１及び第２挾持用部材１０１、１０２を相対的に近付けるように付勢する付勢部材１０４が取り付けられている。
付勢部材１０４は、例えば、捻りコイルバネを適用することができ、この捻りコイルバネのコイル部分が回動軸１０３ａに挿通されているとともに、当該捻りコイルバネを形成する線材の両端部の各々に第１及び第２挾持用部材１０１、１０２の各々が取り付けられている。これにより、第１及び第２挾持用部材１０１、１０２は、回動軸１０３ａを中心として、常時相対的に近付くように付勢された状態となっている。このため、当該容器逆立ち用スタンド１００を容器本体部２１０に取り付ける際には、第１及び第２挾持用部材１０１、１０２を付勢部材１０４の付勢力に抗して離間させるようにユーザが操作する必要がある。
なお、付勢部材１０４として、捻りコイルバネを例示したが、一例であってこれに限られるものではなく、適宜任意に変更可能である。即ち、付勢部材１０４としては、捻りコイルバネ以外にも、例えば、圧縮バネ、引っ張りバネ、板バネ等を用いても良いし、複数種類のバネを組み合わせて用いても良い。
【００３３】
第１及び第２挾持用部材１０１、１０２の各々は、例えば、下側（若しくは、上側）から視て外側に凸の略弓形に湾曲して形成された略等しい形状の部材である（図２（ａ）及び図２（ｂ）参照）。ここで、第１及び第２挾持用部材１０１、１０２の各々は、キャップ本体部２２１に着脱自在に取り付けられた状態で、内側に存する収容容器２００のキャップ部２２０を透視できるように透明性の高い材料から形成されているのが好ましい。
また、第１及び第２挾持用部材１０１、１０２は、互いの両端部どうし（例えば、図２（ｂ）における左右両端部どうし）を対向させるようにして配設され、例えば、図２（ａ）及び図２（ｂ）における手前側に第１挾持用材１０１が設けられ、奥側に第２挾持用部材１０２が設けられている。
また、第１及び第２挾持用部材１０１、１０２の各々は、上下方向に略等しい所定の厚さを有する外側部１１１、１２１と、外側部１１１、１２１の内側に設けられ、当該上下方向の厚さが外側部１１１、１２１よりも小さい内側部１１２、１２２とを具備している。
【００３４】
第１及び第２挾持用部材１０１、１０２の各内側部１１２、１２２は、例えば、上下方向に略等しい厚さを有し、下側（若しくは、上側）から視て外側に凸の略弓形に湾曲して形成されている。また、各内側部１１２、１２２は、互いの両端部どうし（例えば、左右両端部どうし）を対向させるようにして配設されている。即ち、当該スタンドの中心側となる各内側部１１２、１２２の両端部どうしの間の部分には、上下方向に連通する開口１０５が形成されている。
また、各内側部１１２、１２２の上下方向に直交する方向（例えば、左右方向や前後方向）の厚さは、軸部１０３側（例えば、右端部側）が最も大きく（厚く）、当該軸部１０３と反対側（例えば、左端部側）になるにつれて次第に小さく（薄く）なっている。ここで、各内側部１１２、１２２の上下方向に直交する方向の厚さ、特に、最も厚い部分の厚さ（或いは、最も薄い部分の厚さ）は、後述するように、動作空間部１０６（後述）内にて開閉動作する取出口開閉部２２２の上下方向の厚さと等しいか、或いは、それよりも大きくなっているのが好ましい。
【００３５】
また、各内側部１１２、１２２の両端部どうしの間の部分は、所定の曲率で湾曲して形成された内周面を有し、当該内周面によってキャップ本体部２２１の外面部２２１ｂを把持する把持部１１２ａ、１２２ａが構成されている。
第１及び第２挾持用部材１０１、１０２の各把持部１１２ａ、１２２ａは、付勢部材１０４の付勢力により第１及び第２挾持用部材１０１、１０２が相対的に近付くように付勢されることで、キャップ本体部２２１の外面部２２１ｂに接触して当該外面部２２１ｂを挾持する。
【００３６】
また、各内側部１１２、１２２は、各外側部１１１、１２１の上端部よりの位置に形成されている。即ち、内側部１１２、１２２及び外側部１１１、１２１の上端面は、上下方向に直交する平面をなし、当該上端面と外側部１１１、１２１の上端面とが略面一となるように形成されている。
一方、各内側部１１２、１２２の下端面は、各外側部１１１、１２１の下端面よりも上側に位置している。即ち、各内側部１１２、１２２の下端面は、各外側部１１１、１２１の内周面と直交する平面をなし、当該内周面の上下方向の略中央部に連続して形成されている。
【００３７】
第１及び第２挾持用部材１０１、１０２の各外側部１１１、１２１は、上下方向に略等しい所定の厚さを有し、下側（若しくは、上側）から視て外側に凸の略弓形に湾曲して形成されている。また、各外側部１１１、１２１は、互いの両端部どうし（例えば、左右両端部どうし）を対向させるようにして配設されている。
また、各外側部１１１、１２１の上下方向に直交する方向（例えば、左右方向や前後方向）の厚さは、軸部１０３側（例えば、右端部側）が最も小さく（薄く）、当該軸部１０３と反対側（例えば、左端部側）になるにつれて次第に大きく（厚く）なっている。なお、各外側部１１１、１２１の軸部１０３側には、付勢部材１０４としての捻りコイルバネを形成する線材の両端部の各々が取り付けられている。
【００３８】
各外側部１１１、１２１は、キャップ本体部２２１の外面部２２１ｂを把持した状態の第１及び第２挾持用部材１０１、１０２の各把持部１１２ａ、１２２ａよりも取出口開閉部２２２側（下側）に設けられた下端面を有している。
各外側部１１１、１２１の下端面は、上下方向に直交する平面をなし、当該スタンドを用いて収容容器２００を逆立ち状態で保持する際に当該下端面が載置面Ｔに接触する。即ち、各外側部１１１、１２１の下端面によって載置面Ｔに接触する載置部１１１ａ、１２１ａが構成されている。
【００３９】
各載置部１１１ａ、１２１ａは、第１及び第２挾持用部材１０１、１０２の各把持部１１２ａ、１２２ａによってキャップ本体部２２１の外面部２２１ｂが挾持された状態で、取出口開閉部２２２のキャップ本体部２２１と反対側となる下端面よりもキャップ本体部２２１と反対側（下側）に形成されている。即ち、各載置部１１１ａ、１２１ａを構成する各外側部１１１、１２１の下端面は、取出口開閉部２２２の下端面よりも下側に存する一平面上に形成されている。
ここで、各載置部１１１ａ、１２１ａは、第１及び第２挾持用部材１０１、１０２の各把持部１１２ａ、１２２ａによってキャップ本体部２２１の外面部２２１ｂが挾持された状態で、取出口開閉部２２２の下端面と略等しい位置に存する一平面上に形成されていても良い。
【００４０】
なお、各載置部１１１ａ、１２１ａの上下方向に直交する方向（例えば、左右方向や前後方向）の長さ、即ち、第１及び第２挾持用部材１０１、１０２の同方向の長さは、当該容器逆立ち用スタンド１００によって保持される収容容器２００の形状や大きさ（特に、同方向の長さ）を考慮して所定の長さに調整されている。即ち、各載置部１１１ａ、１２１ａの上下方向に直交する方向（例えば、左右方向や前後方向）の長さは、容器逆立ち用スタンド１００を用いて収容容器２００をバランス良く保持できる程度に調整されているのが好ましい。
【００４１】
また、各載置部１１１ａ、１２１ａよりも上下方向に直交する方向（例えば、左右方向や前後方向）の内側に、取出口開閉部２２２が配置されて当該取出口開閉部２２２が取出口２２１ａを開閉する際に動作するための動作空間部１０６が設けられている。
即ち、各載置部１１１ａ、１２１ａにおける上下方向に直交する方向（例えば、左右方向や前後方向）の内側端部は、把持部１１２ａ、１２２ａよりも外側に配置されていることから、当該載置部１１１ａ、１２１ａの内側端部と把持部１１２ａ、１２２ａとの間に、上下方向に直交する断面の面積が収容容器２００のキャップ部２２０の取出口開閉部２２２よりも大きい空間が構成されている。また、各内側部１１２、１２２の下端面が各外側部１１１、１２１の内周面の上下方向の略中央部に連続して形成されていることから、内側部１１２、１２２の下端面と外側部１１１、１２１の下端面との間に上下方向に所定の深さを有する空間が構成されている。
そして、当該動作空間部１０６に、第１及び第２挾持用部材１０１、１０２の各把持部１１２ａ、１２２ａによってキャップ本体部２２１の外面部２２１ｂが挾持されたキャップ部２２０の取出口開閉部２２２が配置され、当該動作空間部１０６内にて取出口開閉部２２２が取出口２２１ａを開閉する際に動作するようになっている。具体的には、動作空間部１０６は、取出口２２１ａを開閉する際に、ヒンジ機構２２３を介してキャップ本体部２２１の一端部に対して相対的に上下方向に回動する取出口開閉部２２２の動作空間を構成している。
【００４２】
また、動作空間部１０６は、取出口開閉部２２２の動作空間に加えて、ユーザの指先や爪が挿入されて当該取出口開閉部２２２を操作するための空間を構成しても良い。
即ち、取出口開閉部２２２のヒンジ機構２２３と反対側の端部には突起２２２ａが形成されており、動作空間部１０６は、当該突起２２２ａに引っ掛けられるユーザの指先や爪の操作空間として機能しても良い。
【００４３】
次に、図３及び図４を参照して、容器逆立ち用スタンド１００の使用方法について説明する。
図３は、容器逆立ち用スタンド１００の収容容器２００に対する取り付け方法を説明するための図である。また、図４は、容器逆立ち用スタンド１００を収容容器２００に取り付けた状態での使用方法を説明するための図である。
【００４４】
先ず、容器逆立ち用スタンド１００の収容容器２００に対する取り付け方法について、図３を参照して説明する。
なお、図３にあっては、収容容器２００の上下を反転させてキャップ部２２０を上側にした状態で、容器逆立ち用スタンド１００を取り付ける場合について説明するが、収容容器２００の向きは一例であってこれに限られるものではなく、適宜任意に変更可能である。
【００４５】
図３に示すように、先ず、ユーザは、第１及び第２挾持用部材１０１、１０２を付勢部材１０４の付勢力に抗して上下方向に直交する方向（例えば、左右方向等）に離間させる。具体的には、第１及び第２挾持用部材１０１、１０２の軸部１０３と反対側の端部側（例えば、左端部側）を当該軸部１０３を中心として相対的に離れる方向（図３中、実線の矢印で示す方向）に離間させる。
これにより、第１及び第２挾持用部材１０１、１０２が平面視にて略「Ｃ」字状、即ち、当該第１及び第２挾持用部材１０１、１０２の軸部１０３と反対側の端部側が平面視にて略「八」字状に開いた状態となる。
【００４６】
そして、ユーザは、第１及び第２挾持用部材１０１、１０２の各把持部１１２ａ、１２２ａの内側にキャップ本体部２２１の外面部２２１ｂを配置する。具体的には、第１及び第２挾持用部材１０１、１０２を軸部１０３と反対側の端部側から白抜きの矢印（図３参照）で示す方向に沿ってキャップ本体部２２１に差し込むようにして配置する。
このとき、予め第１及び第２挾持用部材１０１、１０２を離間しておく距離を、例えば、キャップ本体部２２１の外径と略等しいか、或いは、それよりも大きくしておくのが好ましいが、キャップ本体部２２１の外径よりも小さくても良い。即ち、平面視にて略「八」字状に開いた状態の第１及び第２挾持用部材１０１、１０２の軸部１０３と反対側の端部側をキャップ本体部２２１の外面部２２１ｂに押し付けていくことで、第１及び第２挾持用部材１０１、１０２の軸部１０３と反対側の端部側が上下方向に直交する方向（例えば、前後方向等）に押し拡げられていく。これにより、第１及び第２挾持用部材１０１、１０２の各内側部１１２、１２２の軸部１０３と反対側の端部における最も中心側の先端部とキャップ本体部２２１の外面部２２１ｂとを滑らせるようにして、第１及び第２挾持用部材１０１、１０２の各把持部１１２ａ、１２２ａの内側にキャップ本体部２２１の外面部２２１ｂを配置する。
【００４７】
なお、上記の第１及び第２挾持用部材１０１、１０２を離間させる動作と各把持部１１２ａ、１２２ａの内側にキャップ本体部２２１の外面部２２１ｂを配置する動作とは同時に行われても良い。
また、容器逆立ち用スタンド１００をキャップ本体部２２１に差し込む向きは、例えば、収容容器２００のキャップ部２２０のヒンジ機構２２３が手前側となるのが好ましい。即ち、第１及び第２挾持用部材１０１、１０２が平面視にて略「Ｃ」字状に開いた状態となっているため、取出口開閉部２２２を開閉させる際に、当該第１及び第２挾持用部材１０１、１０２の間を通過させるようにユーザの指先や爪を挿入して、当該指先や爪をキャップ部２２０のヒンジ機構２２３と反対側の端部に形成されている突起２２２ａに引っ掛け易くなる。
【００４８】
そして、付勢部材１０４により相対的に近付くように付勢された第１及び第２挾持用部材１０１、１０２の各把持部１１２ａ、１２２ａがキャップ本体部２２１の外面部２２１ｂに接触して、当該各把持部１１２ａ、１２２ａによってキャップ本体部２２１の外面部２２１ｂが挾持された状態となる。
これにより、容器逆立ち用スタンド１００が収容容器２００に取り付けられた状態となる。そして、例えば、冷蔵庫内や食卓等の載置面Ｔに載置する場合には、収容容器２００ごと容器逆立ち用スタンド１００の上下を反転させてキャップ部２２０（容器逆立ち用スタンド１００）を下側にして、容器逆立ち用スタンド１００の載置部１１１ａ、１２１ａを載置面Ｔに接触させて載置する。
【００４９】
なお、容器逆立ち用スタンド１００を収容容器２００から取り外す場合には、上記と略反対の動作を行う。
即ち、ユーザは、第１及び第２挾持用部材１０１、１０２を付勢部材１０４の付勢力に抗して相対的に離れる方向に離間させるとともに、第１及び第２挾持用部材１０１、１０２をキャップ本体部２２１から引き抜いていく。
【００５０】
次に、容器逆立ち用スタンド１００を収容容器２００に取り付けた状態での使用方法について、図４を参照して説明する。
図４に示すように、容器逆立ち用スタンド１００が収容容器２００のキャップ本体部２２１に取り付けられた状態で、取出口開閉部２２２を所定方向（例えば、下方向等）に回動させる。具体的には、取出口開閉部２２２のヒンジ機構２２３と反対側の端部に形成された突起２２２ａにユーザの指先や爪が引っ掛けて、取出口開閉部２２２をヒンジ機構２２３の回動軸部２２３ａを軸心として所定方向（例えば、下方向等）に回動させてキャップ本体部２２１から離間させることでキャップ本体部２２１の取出口２２１ａを開放状態とする。
これにより、収容容器２００内の食品Ｆを取出口２２１ａから吐出させるようにして使用することができる。
【００５１】
一方、食品Ｆの使用が終了すると、取出口開閉部２２２を所定方向と反対方向（例えば、上方向等）に回動させてキャップ本体部２２１に接触させることで取出口２２１ａを閉塞状態とする。その後、収容容器２００ごと容器逆立ち用スタンド１００の上下を反転させてキャップ部２２０（容器逆立ち用スタンド１００）を下側にして、容器逆立ち用スタンド１００の載置部１１１ａ、１２１ａを載置面Ｔに接触させて載置する。
【００５２】
以上のように、実施形態１の容器逆立ち用スタンド１００によれば、当該容器逆立ち用スタンド１００を用いて収容容器２００を逆立ち状態で保持する際に載置面Ｔに接触する載置部１１１ａ、１２１ａよりも内側に、収容容器２００の容器本体部２１０内の食品Ｆを取り出すための取出口２２１ａを開閉自在に設けられた取出口開閉部２２２が配置されるとともに、この取出口開閉部２２２が取出口２２１ａを開閉する際に動作するための動作空間部１０６が設けられているので、当該容器逆立ち用スタンド１００をキャップ部２２０に取り付けた状態でも動作空間部１０６内で取出口開閉部２２２を動作させて取出口２２１ａを開閉することができる。特に、取出口開閉部２２２は、キャップ本体部２２１の一端部に回動自在に軸支された構成であっても、取出口２２１ａを開閉する際に回動する取出口開閉部２２２の動作空間を動作空間部１０６により確保することができる。
従って、収容容器２００に取り付けられた容器逆立ち用スタンド１００を取り外すことなく収容容器２００の取出口２２１ａを開放状態として当該収容容器２００内の食品Ｆを使用することができる。
【００５３】
また、付勢部材１０４の付勢力により相対的に近付けるように付勢された第１及び第２挾持用部材１０１、１０２の各把持部１１２ａ、１２２ａでキャップ本体部２２１の外面部２２１ｂを挾持するので、当該容器逆立ち用スタンド１００の第１及び第２挾持用部材１０１、１０２を用いてキャップ部２２０に対する着脱動作を容易に行うことができる。
【００５４】
さらに、第１及び第２挾持用部材１０１、１０２の各載置部１１１ａ、１２１ａは、当該第１及び第２挾持用部材１０１、１０２の把持部１１２ａ、１２２ａによってキャップ本体部２２１の外面部２２１ｂが挾持された状態で、取出口開閉部２２２のキャップ本体部２２１と反対側の端面と略等しい位置か、或いは、当該端面よりもキャップ本体部２２１と反対側に存する一平面上に形成されているので、第１及び第２挾持用部材１０１、１０２の各載置部１１１ａ、１２１ａを用いて当該容器逆立ち用スタンド１００を載置面Ｔに適正に載置することができる。
【００５５】
また、載置部１１１ａ、１２１ａの内側端部は、把持部１１２ａ、１２２ａよりも外側に配置されているので、当該載置部１１１ａ、１２１ａの内側端部と把持部１１２ａ、１２２ａとの間に、取出口開閉部２２２が取出口２２１ａを開閉する際に動作するための動作空間部１０６を確保することができる。
【００５６】
なお、上記実施形態１にあっては、取出口開閉部２２２として、キャップ本体部２２１の容器本体部２１０と反対側の一端部にヒンジ機構２２３を介して回動自在に軸支されたものを例示したが、キャップ本体部２２１の容器本体部２１０と反対側に着脱自在に取り付けられた構成であっても良い。
即ち、例えば、取出口開閉部２２２がキャップ本体部２２１の一端部に螺合される構成であっても良いし、取出口開閉部２２２の内面に係止部（図示略）を設け、当該取出口開閉部２２２をキャップ本体部２２１の一端部に押し込むことで当該一端部に設けられた被係止部と係止部とを係止させるような構成であっても良い。
【００５７】
従って、取出口開閉部２２２は、キャップ本体部２２１の容器本体部２１０と反対側に着脱自在に取り付けられた構成であっても、取出口２２１ａを開閉する際に着脱される取出口開閉部２２２の動作空間を動作空間部１０６により確保することができ、当該容器逆立ち用スタンド１００を容器本体部２１０に取り付けた状態でも動作空間部１０６内でキャップ部２２０を動作させて取出口２２１ａを開閉することができる。
【００５８】
［実施形態２］
実施形態２の容器逆立ち用スタンド１００は、収容容器３００の容器本体部３１０に着脱自在に取り付けられるものである。
なお、実施形態２の容器逆立ち用スタンド１００は、以下に詳細に説明する以外の点で上記実施形態１の容器逆立ち用スタンド１００と略同様の構成をなし、詳細な説明は省略する。
【００５９】
図５（ａ）は、本考案を適用した実施形態２の容器逆立ち用スタンド１００を示す正面図であり、図５（ｂ）は、容器逆立ち用スタンド１００を収容容器３００に取り付けた状態での使用方法を説明するための図である。
図５（ａ）及び図５（ｂ）に示すように、容器逆立ち用スタンド１００は、収容容器３００の容器本体部３１０のキャップ部３２０側に着脱自在に取り付けられるようになっている。
なお、図５（ａ）及び図５（ｂ）にあっては、収容容器３００に取り付けられる容器逆立ち用スタンド１００を模式的に表している。
【００６０】
即ち、容器本体部３１０の一端部（例えば、下端部等）には、キャップ部３２０が螺合されている。
具体的には、容器本体部３１０の一端部の外面には、キャップ部３２０の内面に形成された雌ねじ部（図示略）と螺合する雄ねじ部３１０ａが形成されている。そして、キャップ部３２０を容器本体部３１０に対して相対的に所定方向（例えば、上下方向に延在する軸を中心として時計回り等）に回動させてキャップ部３２０の雌ねじ部に容器本体部３１０の雄ねじ部３１０ａが螺子込まれることで容器本体部３１０の一端部に取り付け可能となっている。
その一方で、キャップ部３２０を容器本体部３１０に対して相対的に所定方向と反対方向（例えば、反時計回り等）に回動させることで容器本体部３１０の一端部から取り外し可能となっている。そして、容器本体部３１０からキャップ部３２０が取り外されることで当該容器本体部３１０の一端部に形成された取出口（図示略）が露出された状態となる（図５（ｂ）参照）。
【００６１】
また、容器本体部３１０の雄ねじ部３１０ａよりも上側の部分の外面部３１０ｂが、容器逆立ち用スタンド１００の第１及び第２挾持用部材１０１、１０２の各把持部１１２ａ、１２２ａによって把持される。
なお、容器逆立ち用スタンド１００の構成は、上記実施形態１と略同様であり、第１及び第２挾持用部材１０１、１０２の容器本体部３１０の外面部３１０ｂを把持した状態の把持部１１２ａ、１２２ａよりもキャップ部３２０側に載置部１１１ａ、１２１ａが設けられている。また、各載置部１１１ａ、１２１ａよりも上下方向に直交する方向の内側に、キャップ部３２０が配置されるとともに、当該キャップ部３２０が取出口を開閉する際に回動動作するための動作空間部１０６が設けられている。
即ち、容器本体部３１０の外面部３１０ｂに容器逆立ち用スタンド１００が取り付けられた状態でも、当該容器逆立ち用スタンド１００の動作空間部１０６によって、キャップ部３２０が取出口２２１ａを開閉する際の回動動作の空間が確保されている。
【００６２】
以上のように、実施形態２の容器逆立ち用スタンド１００によれば、当該容器逆立ち用スタンド１００を用いて収容容器３００を逆立ち状態で保持する際に載置面Ｔに接触する載置部１１１ａ、１２１ａよりも内側に、収容容器３００の容器本体部３１０内の食品Ｆを取り出すための取出口を開閉自在に設けられたキャップ部３２０が配置されるとともに、このキャップ部３２０が取出口を開閉する際に動作するための動作空間部１０６が設けられているので、当該容器逆立ち用スタンド１００を容器本体部３１０に取り付けた状態でも動作空間部１０６内でキャップ部３２０を動作させて取出口を開閉することができる。
従って、収容容器３００に取り付けられた容器逆立ち用スタンド１００を取り外すことなく収容容器３００の取出口を開放状態として当該収容容器３００内の食品Ｆを使用することができる。
【００６３】
なお、本考案は、上記実施形態１、２に限定されることなく、本考案の趣旨を逸脱しない範囲において、種々の改良並びに設計の変更を行っても良い。
即ち、上記実施形態１、２の容器逆立ち用スタンド１００にあっては、少なくとも把持部１１２ａ、１２２ａと、載置部１１１ａ、１２１ａと、動作空間部１０６とを備える構成であれば適宜任意に変更可能である。
【００６４】
加えて、今回開示された実施形態は、全ての点で例示であって制限的なものではないと考えられるべきである。本考案の範囲は、上記した説明ではなくて特許請求の範囲によって示され、特許請求の範囲と均等の意味及び範囲内での全ての変更が含まれることが意図される。
【符号の説明】
【００６５】
１００    容器逆立ち用スタンド
１０１    第１挾持用部材
１０２    第２挾持用部材
１０４    付勢部材
１０６    動作空間部
１１１ａ、１２１ａ  載置部
１１２ａ、１２２ａ  把持部
２００、３００  収容容器
２１０、３１０  容器本体部
２２０、３２０  キャップ部
２２１    キャップ本体部
２２１ａ  取出口
２２１ｂ  外面部
２２２    取出口開閉部
３１０ｂ  外面部
Ｆ        食品
【図１】
0003173984.tif 000003
【図２】
0003173984.tif 000004
【図３】
0003173984.tif 000005
【図４】
0003173984.tif 000006
【図５】
0003173984.tif 000007